(57)【要約】  吸い込み部１２の吸い込み面の法線と吐き出し部１３の吐き出し面の法線との成す角度が鋭角であって、筐体１０の内部の空気の流れが略レの字状（略Ｖ字状又は略Ｕ字状）になるように構成された車両用空気調和装置の室外冷却ユニット１００は、軸流送風機２の翼２２が、翼２２の内周端２２３から外周端２２４までの翼弦中心点２２５を結んで、回転軸を含む平面上に投影した翼弦中心線２２６が、半径方向の全領域で下流側に凸の曲線を成すように構成されている。
2013069397.tif 000002
【特許請求の範囲】
【請求項１】
吸い込み部及び吐き出し部を有する筐体と、
軸心まわりに回転するボス、及び前記ボスの外周部に配設される複数枚の翼を有し、前記筐体の上面の一部に開口形成されている前記吸い込み部の直下に配設される軸流送風機と、
前記軸流送風機を囲繞するケーシングと、
前記軸流送風機を支持し、前記軸流送風機を回転駆動するモーターと、
前記筐体の前記吐き出し部に近接配置される熱交換器と、を備え、
前記吸い込み部の吸い込み面の法線と前記吐き出し部の吐き出し面の法線との成す角度が鋭角であって、前記筐体の内部の空気の流れが略レの字状になるように構成された車両用空気調和装置の室外冷却ユニットにおいて、
前記翼は、
前記翼の内周端から外周端までの翼弦中心点を結んで、回転軸を含む平面上に投影した翼弦中心線が、半径方向の全領域で空気流の下流側に張り出した凸の曲線を成すように構成されている
ことを特徴とする車両用空気調和装置の室外冷却ユニット。
【請求項２】
前記軸流送風機の前記翼弦中心線の外周端における接線と回転軸に垂直な平面との成す角をα、
前記軸流送風機の前記翼弦中心線の内周端における接線と回転軸に垂直な平面との成す角をβ、
前記翼弦中心線が下流側に凸の曲線を成すときの角度を正の角度と定義したとき、
前記翼は、
０°＜α＜８０°及び０°＜β＜２０°の少なくとも一方を満足するように構成されている
ことを特徴とする請求項１に記載の車両用空気調和装置の室外冷却ユニット。
【請求項３】
前記筐体の高さをＬｈ、
前記翼の軸方向高さをＬｆとしたとき、
前記翼は、
０．１５＜Ｌｆ／Ｌｈ＜０．５を満足するように構成されている
ことを特徴とする請求項１又は２に記載の車両用空気調和装置の室外冷却ユニット。
【請求項４】
前記ケーシングは、
上流側の吸い込みラウンド形状部と、下流側の吹き出しラウンド形状部と、前記吸い込みラウンド形状部と前記吹き出しラウンド形状部を接続するストレートダクト部と、によって構成されており、
前記軸流送風機の翼外周後縁端部と前記筐体の底面との距離をＬ１、
前記吹き出しラウンド形状の下流端部と前記筐体の底面との距離をＬ２としたとき、
前記翼は、
０．５＜Ｌ２／Ｌ１＜１．２を満足するように構成されている
ことを特徴とする請求項１〜３のいずれか一項に記載の車両用空気調和装置の室外冷却ユニット。
【発明の詳細な説明】
【技術分野】
【０００１】
本発明は、電車等の車両に搭載される車両用空気調和装置の室外冷却ユニットに関するものである。
【背景技術】
【０００２】
これまでに車両用空気調和装置の室外冷却ユニットの騒音を低減した技術として、以下のようなものが知られる。たとえば、「矩形形状の熱交換器の下流側にファンユニットが設けられ、ファンユニットは、ベルマウスおよび環状開口部を有するシュラウド、環状開口部内に配設されているプロペラファンおよびそれを回転駆動するファンモータを備えている車両用熱交換モジュールにおいて、ファンユニットは、モータ入力が所定レベル以下とされている１ファン構成のユニットとされ、プロペラファンには、羽根の根元側の圧力面および負圧面の双方に、各々周方向に沿って半径方向に所定の間隔を隔てて２組のウイングレットが立設されている」車両用熱交換モジュールが提案されている（たとえば、特許文献１参照）。【０００３】
特許文献１に記載の車両用熱交換モジュールは、上記のような構成を備えたことにより、空気流の剥離、及び、剥離した空気の流れが遠心力で半径方向に飛ばされることによる空気の流れの乱れを抑え込み、空力性能の悪化及び騒音の増大を抑制することができるというものである。
【先行技術文献】
【特許文献】
【０００４】
【特許文献１】特開２０１１−８５１０６号公報（第１１頁、図２）
【発明の概要】
【発明が解決しようとする課題】
【０００５】
ところで、従来から、ベースと、吸い込み部と、吐き出し部からなる筐体に、吸い込み部の直下に配設された軸流送風機と、軸流送風機を囲繞するケーシングと、軸流送風機を支えるモーターと、吐き出し部に近接配置された熱交換器とを備え、吸い込み部の吸い込み面と吐き出し部の吐き出し面の互いの面の法線の成す角度が鋭角であって、筐体内部の空気の流れが略レの字状（略Ｖ字状又は略Ｕ字状）になるように構成された車両用空気調和装置の室外冷却ユニットが存在している。【０００６】
このような車両用空気調和装置の室外冷却ユニットでは、軸流送風機の下流の内周側では空気が十分流れ込まないことにより死水域が形成され、また、軸流送風機の下流の外周側では、空気の流れが外周方向へスムーズに流れない（図１１参照）。これにより、空気の流れの乱れが増大し、騒音が増大するという問題があった。【０００７】
また、特許文献１に示されているような車両用熱交換モジュールでは、軸流送風機の空気の流れの乱れを抑える効果はあるものの、上記のような軸流送風機の下流の死水域や空気の流れの乱れの増大を抑制する効果については何ら記載されておらず、従来に比べて十分な低騒音化が実現されているとはいえない。【０００８】
本発明は、上述のような問題を解決するためになされたもので、従来に比べて十分な低騒音化を図るようにした車両用空気調和装置の室外冷却ユニットを提供することを目的とする。
【課題を解決するための手段】
【０００９】
本発明に係る車両用空気調和装置の室外冷却ユニットは、吸い込み部及び吐き出し部を有する筐体と、軸心まわりに回転するボス、及び前記ボスの外周部に配設される複数枚の翼を有し、前記筐体の上面の一部に開口形成されている前記吸い込み部の直下に配設される軸流送風機と、前記軸流送風機を囲繞するケーシングと、前記軸流送風機を支持し、前記軸流送風機を回転駆動するモーターと、前記筐体の前記吐き出し部に近接配置される熱交換器と、を備え、前記吸い込み部の吸い込み面の法線と前記吐き出し部の吐き出し面の法線との成す角度が鋭角であって、前記筐体の内部の空気の流れが略レの字状になるように構成された車両用空気調和装置の室外冷却ユニットにおいて、前記翼は、前記翼の内周端から外周端までの翼弦中心点を結んで、回転軸を含む平面上に投影した翼弦中心線が、半径方向の全領域で空気流の下流側に張り出した凸の曲線を成すように構成されているものである。
【発明の効果】
【００１０】
本発明に係る車両用空気調和装置の室外冷却ユニットによれば、軸流送風機の翼の翼弦中心線が、半径方向の全領域で下流側に凸の曲線を成すように構成されているので、軸流送風機下流の空気の流れが内周方向と外周方向に拡散されやすくなり、内周側に形成される死水域を抑制できるとともに、外周側の空気の流れが外周方向へ滑らかに向かうようになる。したがって、空気の流れの乱れを抑制でき、低騒音化を実現できる。
【図面の簡単な説明】
【００１１】
【図１】本発明の実施の形態１に係る車両用空気調和装置の室外冷却ユニットの概略構成を示す斜視図である。
【図２】本発明の実施の形態１に係る車両用空気調和装置の室外冷却ユニットの概略断面構成を示す概略断面図である。
【図３】本発明の実施の形態１に係る車両用空気調和装置の室外冷却ユニットの軸流送風機２の概略構成を示す斜視図である。
【図４】本発明の実施の形態１に係る車両用空気調和装置の室外冷却ユニットの軸流送風機の回転軸を中心とする円筒断面の平面へ展開した状態を示す展開図である。
【図５】本発明の実施の形態１に係る車両用空気調和装置の室外冷却ユニットの軸流送風機の半径方向の断面構成を示す概略断面図である。
【図６】本発明の実施の形態２に係る車両用空気調和装置の室外冷却ユニットの軸流送風機の翼弦中心線の外周端における接線と回転軸に垂直な平面との成す角αと騒音低減量との関係を示す関係図である。
【図７】本発明の実施の形態２に係る車両用空気調和装置の室外冷却ユニットの軸流送風機の翼弦中心線の内周端における接線と回転軸に垂直な平面との成す角βと騒音低減量との関係を示す関係図である。
【図８】本発明の実施の形態３に係る車両用空気調和装置の室外冷却ユニットのＬｆ／Ｌｈと騒音低減量との関係を示す関係図である。
【図９】本発明の実施の形態４に係る車両用空気調和装置の室外冷却ユニットの概略断面構成を示す概略断面図である。
【図１０】本発明の実施の形態４に係る車両用空気調和装置の室外冷却ユニットのＬ１／Ｌ２と騒音低減量との関係を示す関係図である。
【図１１】従来の車両用空気調和装置の室外冷却ユニットの断面図である。
【発明を実施するための形態】
【００１２】
以下、図面に基づいて本発明の実施の形態について説明する。なお、参照符号については、図１〜図１０において、同一の符号を付したものは、同一またはこれに相当するものであり、このことは、明細書の全文において共通することである。また、図面では各構成部材の大きさの関係が実際のものとは異なる場合がある。さらに、明細書全文に表わされている構成要素の形態は、あくまでも例示であって、これらの記載に限定されるものではない。たとえば、本発明の実施の形態においては軸流送風機が２台であり、翼枚数が５枚である場合を例に図示しているが、軸流送風機の台数および翼の枚数を特に制限するものではない。
【００１３】
実施の形態１．
図１は、本発明の実施の形態１に係る車両用空気調和装置の室外冷却ユニット１００の概略構成を示す斜視図である。図２は、室外冷却ユニット１００の概略断面構成を示す概略断面図である。図３は、室外冷却ユニット１００の軸流送風機２の概略構成を示す斜視図である。図４は、軸流送風機２の回転軸を中心とする円筒断面の平面へ展開した状態（たとえば図３のＩ−Ｉ断面）を示す展開図である。図５は、軸流送風機２の半径方向の断面構成（たとえば図３のＩＩ−ＩＩ断面）を示す概略断面図である。図１〜図５に基づいて、室外冷却ユニット１００について説明する。
【００１４】
図１及び図２に示すように、室外冷却ユニット１００は、電車等の車両に搭載されるものであり、筐体１０と、軸流送風機２と、ケーシング３と、モーター４と、熱交換器５と、を有している。
【００１５】
筐体１０は、ベース１１と、吸い込み部１２と、吐き出し部１３と、を備えている。ベース１１は、室外冷却ユニット１００の外郭を構成するものであり、底面（モーター４の設置面）と側面とを有し、上面が開放されている。ケーシング３に仕切られた軸流送風機２の配置位置上方における開口部分が、空気の流入口となる吸い込み部１２として機能する。また、ケーシング３に仕切られた熱交換器５の配置位置上方における開口部分が、空気の流出口となる吐き出し部１３として機能する。
【００１６】
軸流送風機２は、吸い込み部１２の直下に配設されており、吸い込み部１２を介して筐体１０内に空気を取り込み、吐き出し部１３を介して筐体１０内から空気を吹き出すものである。ケーシング３は、少なくとも軸流送風機２を囲繞するように筐体１０に設けられ、筐体１０の吸い込み部１２と吐き出し部１３を区画するものである。モーター４は、軸流送風機２を支持するとともに、軸流送風機２を駆動させるものである。熱交換器５は、図示省略の冷媒配管を導通する冷媒と軸流送風機２により供給される空気との間で熱交換を行うものである。
【００１７】
図２に示すように、室外冷却ユニット１００では、吸い込み部１２の吸い込み面（図２に示す面Ａ）の法線と、吐き出し部１３の吐き出し面（図２に示す面Ｂ）の法線との成す角度（図２に示す角度θ）が鋭角を成すようになっている。したがって、室外冷却ユニット１００では、筐体１０内部の空気の流れは、略レの字状（略Ｖ字状又は略Ｕ字状）になる（図２に示す筐体１０内の矢印Ｃ）。なお、図２では、空気の流れを矢印で表わしている。また、図２に示すＬｆ、Ｌｈについては実施の形態３で使用するものとする。さらに、吸い込み面Ａ及び吐き出し面Ｂは、仮想面である。
【００１８】
図２に示すように、軸流送風機２は、軸心まわりに回転するボス２１と、ボス２１の外周部に配設される複数枚の翼２２と、を有している。つまり、軸流送風機２は、三次元立体形状の複数枚の翼２２が、モーター４によって回転駆動する円柱状のボス２１の外周部に放射状に取付けられているのである。そして、翼２２が回転することによって気流が発生する。
【００１９】
また、図３に示すように、翼２２は、前縁２２１、後縁２２２、内周端２２３、外周端２２４にて囲繞されている。すなわち、翼２２は、回転方向の先端側の縁である前縁２２１と、回転方向の後端側の縁である後縁２２２と、回転軸（図示省略）に近い方の端部である内周端２２３と、回転軸に遠い方の端部である外周端２２４と、によって外縁が構成されている。なお、図３には、軸流送風機２の翼２２の外周端２２４の後縁端部を翼外周後縁端部２２７として図示している。この翼外周後縁端部２２７については、実施の形態４で使用するものとする。
【００２０】
図４に示すように、軸流送風機２の回転軸を中心とする円筒断面の平面への展開図上において、前縁２２１と後縁２２２を結んだ直線の中点を翼弦中心点２２５とする。また、図５に示すように、内周端２２３から外周端２２４までの翼弦中心点２２５を結んで、回転軸を含む平面上に投影した曲線を翼弦中心線２２６とする。そして、軸流送風機２の翼２２は、翼弦中心線２２６が半径方向の全領域で空気流の下流側に張り出した凸の曲線を成すように構成されている。なお、図５に示すα、βについては、実施の形態２で使用するものとする。
【００２１】
上記のような構成により、室外冷却ユニット１００は、軸流送風機２の下流の空気の流れが内周方向と外周方向とに拡散されやすくなる。内周方向へ空気の流れが拡散されやすくなることにより、室外冷却ユニット１００は、空気の流れが内周方向へ向いていなかった従来の車両用空気調和装置の室外冷却ユニットに比べ、空気が不足して発生していた死水域を抑制することができる。また、外周方向へ空気の流れが拡散されやすくなることにより、室外冷却ユニット１００は、外周側の空気の流れが外周方向へ滑らかに向かうようになり、空気の流れが風路の抵抗を受けにくくなる。以上により、室外冷却ユニット１００は、空気の流れの乱れを抑制でき、従来に比べて低騒音化が実現できる。
【００２２】
実施の形態２．
図６は、本発明の実施の形態２に係る車両用空気調和装置の室外冷却ユニットの軸流送風機の翼弦中心線の外周端における接線と回転軸に垂直な平面との成す角αと騒音低減量との関係を示す関係図である。図７は、本発明の実施の形態２に係る車両用空気調和装置の室外冷却ユニットの軸流送風機の翼弦中心線の内周端における接線と回転軸に垂直な平面との成す角βと騒音低減量との関係を示す関係図である。図５〜図７に基づいて、本発明の実施の形態２に係る車両用空気調和装置の室外冷却ユニットについて説明する。なお、本発明の実施の形態２に係る車両用空気調和装置の室外冷却ユニットを便宜的に室外冷却ユニット１００Ａと称して説明するものとする。また、室外冷却ユニット１００Ａの基本的な構成は、実施の形態１に係る室外冷却ユニット１００の構成（図２に示した構成）と同様である。
【００２３】
実施の形態２に係る室外冷却ユニット１００Ａは、電車等の車両に搭載されるものであり、より一層の低騒音化を実現するための構成例である。ここで、図５に示すように、軸流送風機２の翼弦中心線２２６の外周端２２４における接線と回転軸に垂直な平面との成す角をα、内周端２２３における接線と回転軸に垂直な平面の成す角をβとし、翼弦中心線２２６が空気流の下流側に張り出した凸の曲線を成すときの角度を正の角度と定義する。このとき、室外冷却ユニット１００Ａの軸流送風機２の翼２２は、α、βが、０°＜α＜８０°及び０°＜β＜２０°の少なくとも一方を満足するように構成されている。その理由は以下の通りである。
【００２４】
図６を用いて、角度αと騒音低減量との関係を説明する。なお、本明細書で、騒音低減量とは、従来の車両用空気調和装置の室外冷却ユニットの騒音値に対する室外冷却ユニット１００Ａの騒音値の低減量を表している。図６は、β＝０°に固定した場合のグラフである。図６より、０°＜α＜８０°の範囲において、騒音低減効果が得られていることが分かる。
【００２５】
図７を用いて、角度βと騒音低減量との関係を説明する。図７は、α＝０°に固定した場合のグラフである。図７より、０°＜β＜２０°の範囲において、騒音低減効果が得られていることが分かる。
【００２６】
上記のような構成により、室外冷却ユニット１００Ａは、軸流送風機２の下流の空気の流れが最適な角度で内周方向と外周方向とに拡散されるようになる。軸流送風機２の下流の空気の流れが最適な角度で内周方向に拡散されることによって、室外冷却ユニット１００Ａは、モーター４への空気の衝突がなく、内周側に形成される死水域を効率的に抑制できる。また、室外冷却ユニット１００Ａは、軸流送風機２の下流の空気の流れが最適な角度で外周方向に拡散されることによって、外周側の空気の流れが外周方向へより一層滑らかに向かうようになる。以上により、室外冷却ユニット１００Ａは、空気の流れの乱れを効果的に抑制でき、より一層の低騒音化を実現できる。
【００２７】
実施の形態３．
図８は、本発明の実施の形態３に係る車両用空気調和装置の室外冷却ユニットのＬｆ／Ｌｈと騒音低減量との関係を示す関係図である。図２及び図８に基づいて、本発明の実施の形態３に係る車両用空気調和装置の室外冷却ユニットについて説明する。なお、本発明の実施の形態３に係る車両用空気調和装置の室外冷却ユニットを便宜的に室外冷却ユニット１００Ｂと称して説明するものとする。また、室外冷却ユニット１００Ｂの基本的な構成は、実施の形態１に係る室外冷却ユニット１００の構成（図２に示した構成）と同様である。
【００２８】
実施の形態３に係る室外冷却ユニット１００Ｂは、電車等の車両に搭載されるものであり、より一層の低騒音化を実現するための構成例である。図２に示すように、ベース１１から吸い込み部１２までの筐体の高さをＬｈ、翼２２の軸方向高さをＬｆとしたとき、室外冷却ユニット１００Ｂの軸流送風機２の翼２２は、Ｌｆ／Ｌｈが０．１５＜Ｌｆ／Ｌｈ＜０．５を満足するように構成されている。その理由は以下の通りである。
【００２９】
図８を用いて、Ｌｆ／Ｌｈと騒音低減量ｔｐとの関係を説明する。翼２２の軸方向高さＬｆを短縮することは、翼２２の翼面積を低減することになる。よって、翼２２の有効仕事を確保するためには、翼２２の枚数の増加が必要となる。翼２２の枚数の増加は、音源数の増加を意味し、騒音が増大するという結果を招く。一方、翼２２の軸方向高さＬｆを伸張することは、軸流送風機２から吹き出された空気の流れの通風路が狭隘となることを意味する。そのため、通風抵抗が増大して騒音が増大するという結果を招く。
【００３０】
図８より、０．１５＜Ｌｆ／Ｌｈ＜０．５の範囲で騒音低減量がほぼ５ｄＢ以上となり、騒音低減効果が高いことが分かる。そこで、室外冷却ユニット１００Ｂでは、０．１５＜Ｌｆ／Ｌｈ＜０．５を満足するように翼２２を構成することにより、上記のような騒音増大を効果的に抑制できるため、より一層の低騒音化を実現できることになる。以上により、室外冷却ユニット１００Ｂは、より一層の低騒音化を実現できる。
【００３１】
実施の形態４．
図９は、本発明の実施の形態４に係る車両用空気調和装置の室外冷却ユニット１００Ｃの概略断面構成を示す概略断面図である。図１０は、室外冷却ユニット１００ＣのＬ１／Ｌ２と騒音低減量との関係を示す関係図である。図９及び図１０に基づいて、室外冷却ユニット１００Ｃについて説明する。なお、実施の形態４では実施の形態１との相違点を中心に説明し、実施の形態１と同一部分には、同一符号を付して説明を省略するものとする。
【００３２】
実施の形態４に係る室外冷却ユニット１００Ｃは、電車等の車両に搭載されるものであり、より一層の低騒音化を実現するための構成例である。室外冷却ユニット１００Ｃは、ケーシング３Ｃの形状が実施の形態１に係る室外冷却ユニット１００と相違している。図９に示すように、軸流送風機２を囲繞するケーシング３Ｃは、上流側の吸い込みラウンド形状部３１と、ストレートダクト部３２と、下流側の吹き出しラウンド形状部３３と、によって構成されている。なお、吸い込みラウンド形状部３１と吹き出しラウンド形状部３３とは、ストレートダクト部３２によって接続されている。
【００３３】
そして、翼外周後縁端部２２７とベース１１（筐体１０の底面）との距離をＬ１、吹き出しラウンド形状部３３の下流端とベース１１（筐体１０の底面）との距離をＬ２としたとき、室外冷却ユニット１００Ｃの軸流送風機２の翼２２は、Ｌ２／Ｌ１が０．５＜Ｌ２／Ｌ１＜１．２を満足するように構成されている。その理由は以下の通りである。
【００３４】
図１０を用いて、Ｌ２／Ｌ１と騒音低減量ｔｐとの関係を説明する。ケーシング３Ｃの下流側に吹き出しラウンド形状部３３を設けることにより、軸流送風機２の下流の空気の流れが吹き出しラウンド形状部３３に沿って滑らかに外周方向へ誘導されるため、空気の流れの乱れを抑制することができる。Ｌ２を短縮することは、軸流送風機２からの吹き出し空気の流れ用通風路が狭隘化するため通風抵抗が増加し、騒音が増大するという結果を招く。また、Ｌ２を拡大することは、軸流送風機２とケーシング３Ｃとのギャップを拡大させ、空気の漏れ流れが増加し、騒音が増大するという結果を招く。
【００３５】
図１０より、０．５＜Ｌ２／Ｌ１＜１．２の範囲で騒音低減量がほぼ５ｄＢ以上となり、騒音低減効果が高いことが分かる。そこで、室外冷却ユニット１００Ｃでは、０．５＜Ｌ２／Ｌ１＜１．２を満足するように翼２２を構成することにより、上記のような騒音増大を効果的に抑制できるため、より一層の低騒音化を実現できることになる。以上により、室外冷却ユニット１００Ｃは、より一層の低騒音化を実現できる。すなわち、室外冷却ユニット１００Ｃは、ケーシング３Ｃに吹き出しラウンド形状部３３を設けることにより、軸流送風機２の下流の空気の流れが吹き出しラウンド形状部３３に沿って滑らかに外周方向へ誘導され、空気の流れの乱れを抑制することができる。また。室外冷却ユニット１００Ｃは、０．５＜Ｌ２／Ｌ１＜１．２を満足するように翼２２を構成したことにより、Ｌ２を短縮することによる軸流送風機２からの吹き出し空気の流れ用通風路の狭隘化に伴う通風抵抗の増大や、Ｌ２を拡大することによるケーシングギャップ拡大に伴う空気の漏れ流れの増大を効果的に抑制でき、大きな騒音低減効果が得られる。
【００３６】
上記のように、本発明について実施の形態を分けて説明したが、各実施の形態の特徴事項を組み合わせることを否定するものではない。
【符号の説明】
【００３７】
２  軸流送風機、３  ケーシング、３Ｃ  ケーシング、４  モーター、５  熱交換器、１０  筐体、１１  ベース、１２  吸い込み部、１３  吐き出し部、２１  ボス、２２  翼、３１  ラウンド形状部、３２  ストレートダクト部、３３  ラウンド形状部、１００  室外冷却ユニット、１００Ａ  室外冷却ユニット、１００Ｂ  室外冷却ユニット、１００Ｃ  室外冷却ユニット、２２１  前縁、２２２  後縁、２２３  内周端、２２４  外周端、２２５  翼弦中心点、２２６  翼弦中心線、２２７  翼外周後縁端部。
【図１】
2013069397.tif 000003
【図２】
2013069397.tif 000004
【図３】
2013069397.tif 000005
【図４】
2013069397.tif 000006
【図５】
2013069397.tif 000007
【図６】
2013069397.tif 000008
【図７】
2013069397.tif 000009
【図８】
2013069397.tif 000010
【図９】
2013069397.tif 000011
【図１０】
2013069397.tif 000012
【図１１】
2013069397.tif 000013
【手続補正書】
【提出日】平成26年3月27日(2014.3.27)
【手続補正１】
【補正対象書類名】明細書
【補正対象項目名】０００９
【補正方法】変更
【補正の内容】
【０００９】
本発明に係る車両用空気調和装置の室外冷却ユニットは、吸い込み部及び吐き出し部を有する筐体と、軸心まわりに回転するボス、及び前記ボスの外周部に配設される複数枚の翼を有し、前記筐体の上面の一部に開口形成されている前記吸い込み部の直下に配設される軸流送風機と、前記軸流送風機を囲繞するケーシングと、前記軸流送風機を支持し、前記軸流送風機を回転駆動するモーターと、前記筐体の前記吐き出し部に近接配置される熱交換器と、を備え、前記吸い込み部の吸い込み面の法線と前記吐き出し部の吐き出し面の法線との成す角度が鋭角であって、前記筐体の内部の空気の流れが略レの字状になるように構成された車両用空気調和装置の室外冷却ユニットにおいて、前記翼は、前記翼の内周端から外周端までの翼弦中心点を結んで、回転軸を含む平面上に投影した翼弦中心線が、半径方向の全領域で空気流の下流側に張り出した凸の曲線を成すように構成されており、かつ、前記筐体の高さをＬｈ、前記翼の軸方向高さをＬｆとしたとき、０．１５＜Ｌｆ／Ｌｈ＜０．５を満足するように構成されているものである。
【手続補正２】
【補正対象書類名】特許請求の範囲
【補正対象項目名】全文
【補正方法】変更
【補正の内容】
【特許請求の範囲】
【請求項１】
吸い込み部及び吐き出し部を有する筐体と、
軸心まわりに回転するボス、及び前記ボスの外周部に配設される複数枚の翼を有し、前記筐体の上面の一部に開口形成されている前記吸い込み部の直下に配設される軸流送風機と、
前記軸流送風機を囲繞するケーシングと、
前記軸流送風機を支持し、前記軸流送風機を回転駆動するモーターと、
前記筐体の前記吐き出し部に近接配置される熱交換器と、を備え、
前記吸い込み部の吸い込み面の法線と前記吐き出し部の吐き出し面の法線との成す角度が鋭角であって、前記筐体の内部の空気の流れが略レの字状になるように構成された車両用空気調和装置の室外冷却ユニットにおいて、
前記翼は、
前記翼の内周端から外周端までの翼弦中心点を結んで、回転軸を含む平面上に投影した翼弦中心線が、半径方向の全領域で空気流の下流側に張り出した凸の曲線を成すように構成されており、かつ、前記筐体の高さをＬｈ、前記翼の軸方向高さをＬｆとしたとき、０．１５＜Ｌｆ／Ｌｈ＜０．５を満足するように構成されている
ことを特徴とする車両用空気調和装置の室外冷却ユニット。
【請求項２】
前記軸流送風機の前記翼弦中心線の外周端における接線と回転軸に垂直な平面との成す角をα、
前記軸流送風機の前記翼弦中心線の内周端における接線と回転軸に垂直な平面との成す角をβ、
前記翼弦中心線が下流側に凸の曲線を成すときの角度を正の角度と定義したとき、
前記翼は、
０°＜α＜８０°及び０°＜β＜２０°の少なくとも一方を満足するように構成されている
ことを特徴とする請求項１に記載の車両用空気調和装置の室外冷却ユニット。
【請求項３】
前記ケーシングは、
上流側の吸い込みラウンド形状部と、下流側の吹き出しラウンド形状部と、前記吸い込みラウンド形状部と前記吹き出しラウンド形状部を接続するストレートダクト部と、によって構成されており、
前記軸流送風機の翼外周後縁端部と前記筐体の底面との距離をＬ１、
前記吹き出しラウンド形状部の下流端部と前記筐体の底面との距離をＬ２としたとき、
前記翼は、
０．５＜Ｌ２／Ｌ１＜１．２を満足するように構成されている
ことを特徴とする請求項１又は２に記載の車両用空気調和装置の室外冷却ユニット。
【請求項４】
前記モーターは、
前記軸流送風機の下流側に配設されている
ことを特徴とする請求項１〜３のいずれか一項に記載の車両用空気調和装置の室外冷却ユニット。
【請求項５】
前記軸流送風機が、前記ケーシングの上流側端部に位置する吸い込み部よりも下流側に配設されている
ことを特徴とする請求項１〜４のいずれか一項に記載の車両用空気調和装置の室外冷却ユニット。
【国際調査報告】
2013069397.tif 000014
2013069397.tif 000015